(57)【要約】本発明は、音響的なユーザ情報、例えば音声情報を記録する記録装置と、音響効果データを記憶する記憶装置（４２）と、記録装置（２０）および記憶装置（４２）と接続されており、記録装置（２０）を用いて記録された音響的なユーザ情報を記憶装置（４２）に記憶されている音響効果データを使用してミクサ動作状態時に変更するミクサ装置（４０）とを包含する遠隔通信端末機器（１０）に関する。この遠隔通信端末機器（１０）はさらにミクサ装置（４０）と接続されている制御装置（４４）を有し、この制御装置（４４）はミクサ動作状態が開始されると、このミクサ動作状態を所定の動作期間の経過後に再び終了させる。
2005536957.tif 000002
【特許請求の範囲】
【請求項１】
遠隔通信端末機器（１０）であって、
−音響的なユーザ情報、例えば音声情報を記録する記録装置（２０）と、
−音響効果データを記憶する記憶装置（４２）と、
−前記記録装置（２０）および前記記憶装置（４２）と接続されており、前記記録装置（２０）を用いて記録された音響的なユーザ情報を前記記憶装置（４２）に記憶されている音響効果データを使用してミクサ動作状態時に変更するミクサ装置（４０）とを包含する遠隔通信端末機器（１０）において、
前記ミクサ装置（４０）と接続されている制御装置（４４）が設けられており、該制御装置（４４）は前記ミクサ動作状態が開始されると、該ミクサ動作状態を所定の動作期間の経過後に再び終了させることを特徴とする、遠隔通信端末装置。
【請求項２】
前記所定の動作期間は前記記憶装置（４２）に記憶されている、請求項１記載の遠隔通信端末機器。
【請求項３】
前記音響効果データはトーンデータを包含し、前記ミクサ装置はミクサ動作状態時に前記音響的なユーザ情報を該トーンデータと共に格納する、請求項１または２記載の遠隔通信端末機器。
【請求項４】
前記音響効果データはトーン識別データを包含し、前記遠隔通信端末機器（１０）は、前記記憶装置（４２）および前記ミクサ装置（４０）と接続されており、前記トーン識別データからトーンデータを形成するトーン発生器を包含し、前記ミクサ装置（４０）は前記ミクサ動作状態時に前記音響的なユーザ情報を、前記トーン識別データから形成された前記トーンデータと共に格納する、請求項１から３までのいずれか１項記載の遠隔通信端末機器。
【請求項５】
前記所定の動作期間は実質的に前記音響効果データの再生時間に相応する、請求項１から４までのいずれか１項記載の遠隔通信端末機器。
【請求項６】
前記記憶装置（４２）には反復係数が記憶されており、前記所定の動作期間は実質的に該反復係数と前記音響効果データの再生時間との積に相応する、請求項１から４までのいずれか１項記載の遠隔通信端末機器。
【請求項７】
前記音響効果データは歪み識別データを包含し、前記ミクサ装置（４０）は前記ミクサ動作状態時に前記音響的なユーザ情報を該歪み識別データを使用して歪ませる、請求項１から６までのいずれか１項記載の遠隔通信端末機器。
【請求項８】
遠隔通信端末機器（１０）において、
−音響的なユーザ情報、例えば音声情報を記録する記録装置（２０）と、
−歪み識別データを包含する音響効果データを記憶する記憶装置（４２）と、
−前記記録装置（２０）および前記記憶装置（４２）と接続されており、前記記録装置（２０）を用いて記録された音響的なユーザ情報を前記記憶装置（４２）に記憶されている音響効果データを使用してミクサ動作状態時に変更するミクサ装置（４０）とを包含し、前記ミクサ装置は前記ミクサ動作状態時に前記音響的なユーザ情報を前記歪み識別データを使用して歪ませることを特徴とすることを特徴とする、遠隔通信端末機器。
【請求項９】
前記遠隔通信端末機器（１０）はユーザによる前記ミクサ動作状態の開始のための開始操作素子および／またはユーザによる前記ミクサ動作状態の終了のための終了操作素子を包含する、請求項１から８までのいずれか１項記載の遠隔通信端末機器。
【請求項１０】
前記音響効果データは前記記憶装置（４２）における音響効果データファイルに記憶されている、請求項１から９までのいずれか１項記載の遠隔通信端末機器。
【請求項１１】
前記音響効果データファイルはさらに前記所定の動作期間および／または前記反復係数および／または前記音響効果データの再生時間を包含する、請求項１０記載の遠隔通信端末機器。
【請求項１２】
前記記憶装置（４２）には少なくとも２つの音響効果データファイルが記憶されている、請求項１０または１１記載の遠隔通信端末機器。
【請求項１３】
前記遠隔通信端末機器（１０）は、少なくとも２つの音響効果データファイルの内の少なくとも１つを選択するための少なくとも１つの選択操作素子を包含する、請求項１２記載の遠隔通信端末機器。
【請求項１４】
前記遠隔通信端末機器（１０）は、例えば前記開始操作素子に割り当てられている音響効果データファイルのデータを使用して、前記ミクサ動作状態を開始するための少なくとも１つの開始操作素子を包含する、請求項１０から１３までのいずれか１項記載の遠隔通信端末機器。
【請求項１５】
前記遠隔通信端末機器（１０）は少なくとも１つの交換可能なハウジング部を包含する、請求項１から１４までのいずれか１項記載の遠隔通信端末機器。
【請求項１６】
前記少なくとも１つの交換可能なハウジング部は前記記憶装置（４２）の少なくとも一部を包含し、該記憶装置（４２）の少なくとも一部には前記音響効果データの少なくとも一部、例えば音響効果データファイルの少なくとも一部が記憶されている、請求項１５記載の遠隔通信端末機器。
【請求項１７】
前記少なくとも１つの交換可能なハウジング部は前記音響効果データの少なくとも一部、例えば音響効果データファイルの少なくとも一部を選択するためのハウジング選択素子を包含する、請求項１５または１６記載の遠隔通信端末機器。
【請求項１８】
遠隔通信端末機器（１０）であって、
−交換可能なハウジング部を備えたハウジングと、
−音響的なユーザ情報、例えば音声情報を記録する記録装置（２０）と、
−前記記録装置（２０）と接続されており、前記記録装置を用いて記録された音響的なユーザ情報をミクサ動作状態時に変更するミクサ装置（４０）とを包含する、遠隔通信端末機器において
前記交換可能なハウジング部は前記ミクサ装置（４０）を包含することを特徴とする、遠隔通信端末機器。
【請求項１９】
前記ミクサ装置（４０）は前記ミクサ動作状態時に前記音響的なユーザ情報をトーンデータと共に格納するおよび／または前記音響的なユーザ情報を歪ませる、請求項１８記載の遠隔通信端末機器。
【請求項２０】
前記遠隔通信端末機器（１０）はユーザによる前記ミクサ動作状態の開始のための開始操作素子および／またはユーザによる前記ミクサ動作状態の終了のための終了操作素子を包含する、請求項１８または１９記載の遠隔通信端末機器。
【請求項２１】
請求項１５から２０までのいずれか１項記載の遠隔通信端末機器のための交換可能なケーシング部。
【請求項２２】
音響的なユーザ情報、例えば音声情報を記録する音響的な記録装置を備えた遠隔通信端末機器（３００）のための付加装置（３１０，３２０）において、
音響的なユーザ情報、例えば音声情報を変更するミクサ装置（３１１〜３１５，３２１〜３２４）を包含し、該ミクサ装置（３１１〜３１５，３２１〜３２４）は変更された音響的なユーザ情報を出力するミクサ出力領域を有し、
さらに前記ミクサ装置（３１１〜３１５，３２１〜３２４）のミクサ動作状態時に前記遠隔通信端末機器（３００）の前記音響的な記録装置によって、前記ミクサ出力領域から出力される変更された音響的なユーザ情報を記録するないし記録可能であるよう前記遠隔通信端末機器（３００）に取り付け可能であることを特徴とする、付加装置。
【請求項２３】
前記ミクサ装置（３１１〜３１５，３２１〜３２４）は入力された音響的なユーザ情報をトーンデータと共に格納するおよび／または入力された音響的なユーザ情報を歪ませる、請求項２２記載の付加装置。
【発明の詳細な説明】
【技術分野】
【０００１】
本発明は、音響的なユーザ情報、殊に音声情報を記録する記録装置と、音響効果データを記憶する記憶装置と、記録装置および記憶装置と接続されており、記録装置を用いて記録された音響的なユーザ情報を記憶装置に記憶されている音響効果データを使用してミクサ動作状態時に変更するよう構成されているミクサ装置とを包含する遠隔通信端末機器に関する。
【０００２】
欧州特許出願ＥＰ  １  １０９  ３７９  Ａ１（ＡＳＣＯＭ  ＡＧ）には音声情報を伝送するための遠隔通信端末機器が記載されており、この遠隔通信端末機器は音声情報を記記憶されている背景効果音ノイズまたは背景音楽と共に格納することを実現する。この刊行物に開示されている遠隔通信端末機器は、遠隔通信端末機器ないし伝送すべき音声情報の個別化が非常に制限的にしか実現されないという欠点を有する。つまりこの刊行物に開示されている方法では、背景効果音または背景音楽を伴う永続的な格納しか実現できず、このことは必要に応じて手動で遮断しなければならない可能性がある。音声情報またはその他の伝送情報が短時間支援される装飾的な情報によって、または情動的な付加情報でもって変更されることによって遠隔通信端末機器を十分に個別化することができる手段は公知ではない。
【０００３】
したがって本発明の課題は、伝送すべきユーザ情報のフレキシブル且つ状況に合った変更を実現する遠隔通信端末機器を提供することである。
【０００４】
この課題は、音響的なユーザ情報、殊に音声情報を記録する記録装置と、音響効果データを記憶する記憶装置と、記録装置および記憶装置と接続されており、記録装置を用いて記録された音響的なユーザ情報を記憶装置に記憶されている音響効果データを使用してミクサ動作状態時に変更するよう構成されているミクサ装置とを包含する遠隔通信端末機器によって解決される。さらにこの遠隔通信端末機器はミクサ手段と接続されている制御装置を有し、この制御装置によってミクサ動作状態はこのミクサ動作状態が開始されると所定の動作期間の経過後に自動的に再び終了される。
【０００５】
前述の遠隔通信端末機器ないしミクサ装置がミクサ動作状態にあると、記録装置によって記録された音響的なユーザ情報は記憶されている音響効果データを使用してミクサ装置において変更される。制御装置は音響効果データに属する動作期間を算出する。この算出を例えば既にミクサ動作状態の開始前に行うこともできるが、ミクサ動作状態の実行中に行うこともできる。（所定の）動作期間が経過すると制御装置によってミクサ動作状態は自動的に終了される。
【０００６】
このように構成されている遠隔通信端末機器は音響的なユーザ情報の非常にフレキシブルな変更および所定の状況への適合を可能にする。音響効果データに属する動作期間を検出することによって、比較的長く続く背景効果音または背景音楽の音響的なユーザ情報への付加、また例えばトゥシュ（短いファンファーレ）やゴングなどの短い効果音によって情動的に特徴付けられた音声情報の随伴または支援を実現する。音響効果データはさらに、例えば伝送可能な最大音量または音響効果データの特別な使用条件（例えば移動電話における音響効果は通信相手がこの移動電話のアドレス帳に登録されてる場合にのみ可能とする）のような制御データも包含することができる。
【０００７】
本発明の実施形態による遠隔通信端末機器は例えばあらゆる種類の固定網電話または移動電話でよいが、例えば遠隔通信モジュール（例えば移動無線モジュール）を装備している機器、例えばＧＳＭ（Global System for Mobil Communications）またはＵＭＴＳ（Universal Mobil Telecommunications System）移動無線モジュールを備えたいわゆる「オーガナイザ」またはパームトップでもよい。さらには遠隔通信端末機器はデータネットワークに接続されている装置、例えば音声伝送および／または音声記録および／または音声出力のために構成されているコンピュータ（例えばボイス・オーバＩＰシステム）でもよい。
【０００８】
記録装置は本発明に関して、例えば音響的な情報を記録する種々の音響電気的な変換器、例えばマイクロフォンでよい。本発明の意味における記憶装置は例えば電子的な記憶モジュール、並びに光学的または磁気的なメモリでよい。さらに記憶装置を少なくとも部分的に交換可能な構成要素、例えばチップカードまたは交換可能な記憶モジュール（例えばマルチメディアカード）内に包含させることができる。殊に遠隔通信端末機器を移動電話として実施する場合には、記憶装置はこれに関して少なくとも部分的にいわゆる交換可能なハウジングシェル内に設けられており、このような記憶装置にアクセスするために例えば電気的な接触部を少なくともハウジングシェルに設けることができ、またこのハウジングシェルを包囲する（ここでは記録装置、ミクサ装置を備えた）ベースモジュールに設けることもできる。
【０００９】
制御装置が所定の動作期間、すなわちミクサ装置のミクサ状態がアクティブである時間間隔の算出を僅かな手間で実現できるようにするために、（所定の）動作期間を記憶装置に記憶することができる。（所定の）動作期間を算出するために、制御装置はこの動作期間を記憶領域から読み出しさえすればよく、またミクサ動作状態が開始するとこのミクサ動作状態を（所定の）動作期間の経過後に自動的に再び終了させることができる。
【００１０】
別の有利な実施形態において、音響効果データがトーンデータないしサウンドデータを包含し、またミクサ状態時に音響的なユーザ情報がトーンデータ（サウンドデータ）と共に格納されるようミクサ装置は構成されているよう遠隔通信端末機器を構成することができる。トーンデータ（サウンドデータ）は例えば電子的な形態で記憶されている効果音データまたは音楽データでよい。そのようなデータは例えばアナログの形態で（例えば音楽用カセットのようなものに）記憶することができるか、ディジタルの形態で、場合によっては圧縮された形態、例えばＷＡＶフォーマットまたはＭＰ３フォーマットで記憶することができる。トーンデータ（サウンドデータ）は一般的に例えば短い警告トーン、情動的に特徴付けられている効果音または短い旋律（ジングル）を包含することができる（例えば警笛音、ベル、笑い声、ファンファーレ、識別メロディ、シグナルトーンまたはシグナルメロディ）。
【００１１】
ミクサ装置は入力された音響的なユーザ情報をトーンデータ（サウンドデータ）と共に格納することができる。このことは音響的なユーザ情報の受信器がユーザ情報にトーンデータを重畳させることを意味している。このことは例えば音声情報を背景音楽または背景効果音と共に格納することを意味してもよい。動作期間が経過すると制御装置は格納を自動的に終了させる。もっとも動作期間が「無限」（「無限」は例えばこのために特別に設けられている文字列によって表すことができる）である可能性もあり、その場合ミクサ動作状態は例えばユーザが（例えばこのために設けられている終了キーによって）ミクサ動作状態を手動で終了させるまで、または遠隔通信コネクションが終了するまで存在し続ける。
【００１２】
さらに音響効果データはトーン識別データないしトーン制御データを包含することができ、遠隔通信端末機器は記憶装置およびミクサ装置と接続されておりトーン識別データからトーンデータ（サウンドデータ）を形成するトーンデータ発生器を包含し、さらにはミクサ装置はミクサ動作状態時に音響的なユーザ情報をトーン識別データから形成されたトーンデータ（サウンドデータ）と共に格納するために構成されている。トーン識別データ（例えばＭＩＤＩデータ；MIDI : Musical Instrument Digital Interface）の記憶は音響的な付加情報の効果的な記憶を実現することができる。トーンデータ発生器（例えばシンセサイザ）を用いてトーン識別データからトーンデータ（サウンドデータ）が形成され、このトーンデータ（サウンドデータ）は例えば背景効果音または背景音楽として、または音響的なユーザ情報のシグナルトーンとしても格納される。
【００１３】
音響効果データを使用して音響的なユーザ情報を変更ないし処理する場合、動作期間は実質的に音響効果データの再生時間に相応する。このことは、制御装置が例えばミクサ装置への音響効果データのデータストリームをトレースし、データストリームが何時終了するかを識別することを意味する。例えば制御装置は音響効果データの再生時間をユーザ情報の変更中に測定することができ、またさらなる音響効果データはもはや存在しないならば即座にミクサ動作状態を終了させることができる。しかしながら制御装置は音響効果データのデータ量を算出することもでき、例えば使用されるデータフォーマットを識別して再生時間を計算することができる。
【００１４】
さらには音響効果データファイルが（所定の）再生時間を有することもできる。音響効果データの再生時間が（例えば記憶装置に）記憶されている（所定の）動作期間よりも短い場合には、動作期間が経過しており、且つ制御装置がミクサ動作状態を終了するまで音響効果データは反復的に使用されるようミクサ装置を構成することができる。
【００１５】
さらに、例えば記憶装置には反復係数を記憶することができ、この場合さらに動作期間は実質的に反復係数と音響効果データの再生時間との積に相応してもよい。音響効果データの再生時間の算出はやはり音響効果データのデータストリームの考察および測定によって、または音響効果データのデータ量の算出によって行うことができる。さらに再生時間を記憶装置に記憶することもできる。音響効果データに属する１の反復係数が記憶装置に記憶されている場合には、動作期間は前述の動作期間に相応する。反復係数が比較的大きい場合には、記憶されている音響効果データ、例えばトーンデータ（サウンドデータ）またはトーン識別データから獲得されたトーンデータが相応に何度も繰り返される。反復係数が「無限」（「無限」は例えばこのために特別に設けられている文字列によって表すことができる）の場合、記憶されている音響効果データ、例えばトーンデータ（サウンドデータ）またはトーン識別データから獲得されたトーンデータは、ミクサ動作状態を例えばユーザが手動で終了するまで、または全体の通信コネクションが終了するまで反復される。
【００１６】
反復数を変更することによって例えば、会話情報の情動的な内容を所期のように強調することができる。つまり、例えばファンファーレ信号または笑い声効果音のただ一度の再生はこの信号の二度または三度の再生ないし反復に比べ弱い効果をもたらす可能性がある。
【００１７】
本発明の別の実施形態においては、音響効果データが歪み識別データを包含することができ、この場合ミクサ装置はミクサ動作状態時に歪み識別データを使用して音響的なユーザ情報を歪ませるために構成されている。
【００１８】
前述の課題は本発明の別の観点によれば、音響的なユーザ情報、殊に音声情報を記録ないし録音する記録装置と、音響効果データのための記憶装置と、記録装置および記憶装置と接続されているミクサ装置とを包含し、さらに記憶装置が歪み識別データを包含し、またミクサ装置がミクサ動作状態時に歪み識別データを使用して音響的なユーザ情報を歪ませるために構成されている、遠隔通信端末機器によって解決される。
【００１９】
本発明の範囲において歪みとは一般的に、ミクサ装置において音響的なユーザ情報の周波数スペクトルの形状を所期のように変更することと解する。この変更には例えば音響的なユーザ情報の周波数スペクトルにおける種々の周波数領域それぞれについて目的に適ったあらゆる制限または再重み付け（Umgewichten）が属する。
【００２０】
音響的なユーザ情報をトーンデータ（サウンドデータ）と共に格納する以外に、音響的なユーザ情報の歪みは音響的なユーザ情報の会話および状況に合った変更の新たな別の次元を実現する。つまり例えば音声情報をその都度の会話状況に応じて、例えば難しい会話では声が若干抑制される、もしくは面白い会話では発声者の声がミッキーマウスの声へとまたは他のユーモラスな音声特性でもって変えられるように変更することができる。ここでもまた歪み識別データに動作期間を付加することができる。このようにして短時間、長時間または開始後に期限無く継続する歪みを実現することができる。歪み特性が時間的に変化する場合には、この歪み特性を反復係数を使用して一度、何度または際限無く継続させることができる。
【００２１】
遠隔通信端末機器の操作および音響的な効果の変更をより簡単にするために、遠隔通信端末機器は有利には、ユーザによってミクサ動作状態を開始するための開始操作素子および／またはユーザによってミクサ動作状態を終了するための終了操作素子を包含することができる。前述の操作素子は遠隔通信端末機器に既に設けられている操作素子、例えば数字キー、その他の機能キーまたはプログラム可能なキー（ソフトキー）または回転式ボタン、回転式スイッチ、傾倒式キーまたは傾倒式スイッチなどでよい。開始操作素子および終了操作素子は異なる操作素子であるか同一の操作素子でも良く、後者の場合にはミクサ動作状態がオフ状態のときはキーを例えば開始操作キーとして機能させることができ、一方でミクサ動作状態が開始するとこのキーをミクサ動作状態を終了するための終了操作素子として機能させることができる。遠隔通信端末機器がベース機器と接続されている付加機器を包含する場合には、開始操作素子および／または終了操作素子を付加機器に取り付けることもできる。この場合にも操作素子は例えばキーまたは回転式スイッチおよび／または傾倒式スイッチでよい。
【００２２】
音響効果データの内部処理は、記憶装置において音響効果データが音響効果データファイル内の上位のデータオブジェクトに統合されている場合には簡略化することができる。このようにして記憶装置内部での、または遠隔通信コネクションを介する他の装置への例えばデータのより簡単な編成および移動を達成することができる。つまり例えば音響効果データへのアクセスも容易になる。さらにはそのような音響効果データファイルはそこに含まれている音響効果データに属する動作期間を包含することができる。さらには音響効果データファイルは音響効果データの再生時間および／または反復係数を包含することができる。このようにして制御装置は音響効果データに属する特性量を動作期間の間にこの音響効果データを記憶しているデータファイルにおいて直接発見することができるので、制御装置は動作期間を容易に検出することができる。音響効果データファイルはさらに動作期間を包含することができる。
【００２３】
伝送すべきユーザ情報のフレキシブル且つ状況に合った変更の別の可能性は、それぞれが音響効果データのセットを１つずつ有する少なくとも２つの音響効果データファイルが記憶装置に記憶されている場合に生じる。このようにして遠隔通信端末機器には２つまたはそれ以上の音響効果データのセットが存在し、その結果例えば遠隔通信端末機器による会話の状況に応じて、音響効果データの種々のセットを使用することができ、これによりミクサ装置において音響効果的なユーザ情報の種々の変更が行われることになる。
【００２４】
２つまたはそれ以上の音響効果データファイルが存在する場合に例えば音響効果データファイルの内の１つのユーザフレンドリな選択を実現するために、遠隔通信端末機器はさらに、少なくとも２つの音響効果データファイルの内の少なくとも１つを選択するための選択操作素子を包含することができる。選択操作素子は例えばここでもまた、遠隔通信端末機器に設けられているキー（例えば数字キー、機能キーまたはソフトキー）または相応の回転式ボタンまたは傾倒式ボタンまたはスイッチでもよい。
【００２５】
音響効果データファイルが選択操作素子によって選択されると、ミクサ動作状態を例えば上述の開始操作素子によって開始することができる。さらに選択操作素子を開始選択操作素子として、この開始選択操作素子に割り当てられている音響効果データファイルのデータを使用してミクサ動作状態を開始するよう構成することもできる。開始選択素子の操作後に、この操作素子に割り当てられている音響効果データファイルが選択され、ミクサ動作状態がこの割り当てられている音響効果データファイル内に包含されている音響効果データを使用して開始される。動作期間の経過後にミクサ動作状態がユーザによって終了操作素子を用いて依然終了されていなかった場合には、制御装置はミクサ動作状態を自動的に終了させることができる。
【００２６】
遠隔通信端末機器の別の有利な個別化は、遠隔通信端末機器が少なくとも１つの交換可能なハウジング部を包含する場合に実現することができる。つまり、例えば遠隔通信端末機器のハウジングを２つの交換可能なハウジング部、すなわち上部シェルおよびいわゆる下部シェルから構成することができる。
【００２７】
遠隔通信端末機器における交換可能なハウジング部は、遠隔通信端末機器の外観がユーザの希望およびイメージに合うよう頻繁に使用される。この個別化は交換可能なハウジング部が記憶装置の少なくとも一部を包含する場合にはさらに発展することができ、この場合には記憶装置の少なくとも一部分に音響効果データの少なくとも一部、殊に少なくとも１つの音響効果データファイルが記憶されている。
【００２８】
それに応じてハウジングは例えば音響効果データのための記憶装置全てを包含するか、音響効果データのための記憶装置の一部だけを包含することもでき、後者の場合には音響効果データの残りの記憶装置は遠隔通信端末機器に配置することができる。（少なくとも１つの）交換可能なハウジング部は例えば書き込みを支援する恒久的なメモリ（リードオンリメモリ：ＲＯＭ）を包含することができ、このメモリには１つまたは複数の音響効果データファイルにおいて例えばハウジング部の外観に応じて適合された音響効果データが包含されている。つまり外観が面白い場合には例えば愉快な音楽、１つまたは複数の適当なジングルまたは相応にユーモラスな音声歪み（例えばミッキーマウス、コメディアン）も、音響効果データファイルに記憶されているデータを用いて達成することができる。ハウジング部を、別の外観および新たなハウジング部の記憶装置内に包含されている別の音響効果データファイルを有する別のハウジング部と交換する場合には、ユーザは自身が入力した音響的な有効データを変更するために、場合によっては種類が異なる１つまたは複数の新たなハウジングの外観に適合されている音響効果を使用することができる。
【００２９】
さらには交換可能なハウジング部は、音響効果データの少なくとも一部、殊に１つまたは複数の音響効果データファイルを選択するための少なくとも１つのハウジング選択素子を包含することができる。例えば遠隔通信端末機器の音響効果データのための記憶装置に複数の音響効果データファイルが記憶されている場合には、例えば交換可能なハウジング部に取り付けられているハウジング選択素子を用いて、例えば殊に交換可能なハウジング部の外観に適合されている音響効果データファイルの内の１つまたは複数を選択することができる。そのような選択素子は例えば、電気的または機械的な接触フィールドまたは機械的なピンのようなコードマークでよい。動作状態を例えば所定の音響効果に割り当てられている開始操作素子または開始選択操作素子の操作によって開始することができる。
【００３０】
このようにして例えば、遠隔通信端末機器のハウジング部を交換することにより、既に遠隔通信端末機器に記憶されている複数の音響効果データファイルから、交換可能なハウジング部の外観に適合されている特別な音響効果データファイルを選択することができ、これらのデータファイルはやはりユーザによって例えば別個にトリガすることができる。つまり、遠隔通信端末機器において広範な音響効果を保つことができる。このことは遠隔通信端末機器の供給時に既に音響効果に関する記憶領域に記憶することができるか、交換可能な記憶素子を用いて事後的に遠隔通信端末機器の記憶領域にもたらすこともできる。
【００３１】
さらには音響効果データまたは音響効果データファイルを遠隔通信コネクション（例えば移動無線網のような遠隔通信網を介して交換する）を介して別の遠隔通信装置、例えば別の遠隔通信端末機器または遠隔通信網の別の構成要素（遠隔通信網における交換装置、サービス制御局または付加的なサービスのための装置）から遠隔通信端末機器に伝送し、この遠隔通信端末機器のメモリに記憶することができる。遠隔通信端末機器に記憶されている音響効果データまたは音響効果データファイルはさらに遠隔通信コネクションを介して（例えば移動無線網のような遠隔通信網を介して交換される）別の遠隔通信装置（例えば遠隔通信網における別の遠隔通信端末機器、交換装置、サービス制御局または付加的なサービスのための装置）に伝送することができる。このようにして、例えば音響効果データの交換が遠隔通信端末機器の親しいユーザのもとで行われるか、遠隔通信ネットワークにおける音響効果を使用するための付加的なサービスを実現することができる。音響効果データないし音響効果データファイルを遠隔通信端末機器に組み込まれているインタフェース、例えば無線インタフェース、殊にブルートゥースインタフェースまたは赤外線インタフェースを用いてユーザの移動通信端末装置間で伝送できることを言及しておく。
【００３２】
伝送すべきユーザ情報のフレキシブル且つ状況に合った変更を実現するという課題は、本発明の別の観点によれば、（少なくとも１つの）交換可能なハウジング部と、音響的なユーザ情報、殊に音声情報を記録する記録装置と、記録装置と接続されているミクサ装置とを包含し、このミクサ装置が記録装置を用いて記録された音響的なユーザ情報をミクサ動作状態時に変更するよう構成されており、さらに交換可能なハウジング部ないし、交換可能なハウジング部が複数存在する場合にはその内の１つがミクサ装置を包含する、遠隔通信端末機器によって解決される。さらにそのような遠隔通信端末機器のミクサ装置をミクサ動作状態時に音響的なユーザ情報をトーンデータ（サウンドデータ）と共に記憶するためおよび／または音響的なユーザ情報を歪ませるために構成することができる。
【００３３】
そのような遠隔通信端末機器を例えば、音響的なユーザ情報を変更するために必要とされる素子は交換可能なハウジングシェルに取り付けられており、遠隔通信端末機器のベースモジュール内に集積する必要がないように構成することができる。例えば、遠隔通信端末機器と共に所定の交換可能なハウジングシェルを使用する際に音響効果を使用しない可能性があり、交換可能なハウジング素子の別の実施ではそのような音響効果を実現する。
【００３４】
遠隔通信端末機器のベースモジュールおよび交換可能なハウジング部は例えば、記録装置によって検知されたユーザ情報を交換可能なハウジング部におけるミクサ装置に供給するためにそれぞれ電気的な接触素子を包含することができ、さらにはミクサ装置から出力された変更されたユーザ情報を遠隔通信端末機器のベースモジュールにおいてさらに処理を行う電子機器に供給するために接触素子を包含することができる。
【００３５】
ここでもまたミクサ動作状態の開始はユーザによってミクサ動作状態を開始するための開始操作素子でもって行われ、ミクサ動作状態の終了はユーザによってミクサ動作状態を終了するための終了操作素子でもって行われ、これらの操作素子は遠隔通信端末機器に取り付けられている。開始操作素子および終了操作素子は例えば、やはり遠隔通信端末機器に設けられている操作素子でよい。さらには開始操作素子または終了操作素子は交換可能なハウジング部に取り付けることもできる。
【００３６】
本発明の別の観点によれば、入力された音響的なユーザ情報、殊に音声情報を変更するための遠隔通信端末機器用の付加装置ないし音響装置が提供される。遠隔通信端末機器が付加装置と共に使用されるべき場合には、この遠隔通信端末機器が音響的なユーザ情報、殊に音声情報を記録する音響的な記録装置を有し、音響的なユーザ情報、殊に音声情報を変更する付加装置は遠隔通信端末機器に取り付けることができることを基礎とする。付加装置は変更された音響的なユーザ情報を出力するためのミクサ出力領域を有するミクサ装置を包含する。ミクサ装置はこのミクサ装置のミクサ動作状態時に遠隔通信端末機器の音響的な記録装置によって、ミクサ出力領域から出力される変更された音響的なユーザ情報が記録されるないしユーザ情報を記録可能であるよう遠隔通信端末機器に取り付けることができる。
【００３７】
遠隔通信端末機器のためのこのような付加装置ないしこのような付加機器は、伝送すべき音響的なユーザ情報、例えば音声情報の変更を既に本来の遠隔通信端末機器の外部において実現し、したがってこの遠隔通信端末機器は音響効果によってユーザ情報の変更を別個に実施するために設計する必要はない。このようにして、伝送すべき音響的なユーザデータの個別化のために音響効果の使用時における高いフレキシビリティが達成される。ミクサ装置はやはり、例えばマイクロフォンのような電子音響的な記録素子、また例えばスピーカのような電子音響的な出力素子を包含することができる。音響的な有効データをマイクロフォンによって記録し、ミクサにおいて変更し、スピーカから再び出力することができる。出力される変更されたユーザデータを遠隔通信端末機器の記録装置によって記録することができる。電子音響的な出力素子を使用する場合には、この出力素子を有利には付加装置のミクサ出力領域に設けることができる。
【００３８】
ミクサ装置には音響的な効果を伝送すべき音響的なユーザ情報に取り入れるための機械的な素子を設けることもできる。そのような機械的な素子は例えば音声情報のような音響的なユーザ情報に別個のサウンド特性を備えさせる、例えばダイヤフラムまたはダイヤフラムの組み合わせでよい。
【００３９】
ミクサ装置を備えるそのような付加装置を例えば遠隔通信端末機器のハウジング外部に取り付けられる、または取り付け可能である。さらにはそのような付加装置をハウジングの内側、殊に交換可能なハウジング部の内側において、遠隔通信端末機器の音響的な記録装置の近傍に取り付けることができる。
【００４０】
そのような付加装置は、殊にこの付加装置が遠隔通信端末機器の外部に取り付けられているまたは取り付け可能である場合には、複数のミクサ装置を包含することもでき、この場合ミクサ装置を可動式に配置することができ、このようにしてその都度異なるミクサ装置を遠隔通信端末機器の記録素子の記録領域へと移動させることができる。さらには複数のミクサ装置を同時に遠隔通信端末機器の記録装置の記録領域に配置することもできる。つまり種々のミクサ装置によって形成される音響効果の組み合わせを達成することができる。さらにはミクサ装置を、入力された音響的なユーザ情報をトーンデータと共に格納するためおよび／または入力された音響的なユーザ情報を歪ませるために構成することができる。
【００４１】
別の有利な実施形態は従属請求項に記載されている。
【００４２】
以下では本発明を例示的に添付の図面を参照しながら説明する。ここで、
図１は第１の通信端末機器および第２の通信端末機器からなる通信装置の概略図であり、ここでは殊に音響効果を付加ないし取り入れるために構成されている第１の通信端末機器の機能素子が示されており、
図２は伝送すべき音声情報において音響効果を達成するための通信端末機器ないし遠隔通信端末機器の付加装置の例を示す。
【００４３】
図１は第１の通信端末機器１０および第２の通信端末機器１００からなる通信装置の概略図を示し、殊に図１は受信側の第２の通信端末機器１００に伝送されるべき音声情報に音響効果を付加するために構成されている第１の通信端末機器１０の構造を示す。この際第１の通信端末機器および第２の通信端末機器は例えば移動無線機器ないし移動電話として構成することができる。第１の通信端末機器１０はマイクロフォン２０を有し、このマイクロフォン２０によって音声データが記録され、第１の通信端末機器１０内のミクサ装置としての変調器４０に伝送される。変調器４０において変更された音声データは伝送システム２００を介して第２の通信端末機器に伝送することができ、この伝送システムは例えば有線または少なくとも部分的にエアインタフェースを介して伝送することができる。第１の通信端末機器および第２の通信端末機器を移動電話として構成する場合には、伝送システムをＧＳＭまたはＵＭＴＳ標準に従い動作する移動無線網によって実現することができる。第２の通信端末機器１００におけるスピーカ１２０を介して、第１の通信端末機器１０において変更された音声データが第２のユーザに出力される。
【００４４】
第１の通信端末機器１０における変調器４０は、第２のユーザによって第２の通信端末機器１００のマイクロフォンへと発声され、伝送システム２００を介して第１の通信端末機器１０に伝送された（音声）信号を変更し、第１の通信端末機器１０のスピーカ３０を介して出力することもできる。
【００４５】
変調器４０では、マイクロフォン２０から到来する音響的な信号を変更するために、第１の通信端末機器１０の記憶装置ないしメモリ４２に記憶されており、複数の音響効果データファイル内で統合されている音響効果データが使用される。制御部４４を介してメモリ４２に記憶されている複数の音響効果データファイルのうちの１つを選択することができ、また音響効果データに応じて音響的な信号ないし音声信号を変更ないし処理する変調器４０のミクサ動作状態を開始して再び終了させることもできる。キーボード５０の所定の開始キーを操作することによってミクサ動作状態が開始される。制御部４４によるモジュール４０のミクサ動作状態の終了は、この制御部４４が所定の動作期間の経過後に（ミクサ）動作状態を自動的に終了させることによって、またはキーボード５０においてミクサ動作状態の終了に対応付けられている終了キーが押される（このことは制御部４４に変調器４０のミクサ動作状態を終了させる）ことによって行うことができる。
【００４６】
さらに、キーボード５０の複数のキーおよびメニュー４８を介してコンフィギュレーションデータファイル４６が発見され、このコンフィギュレーションデータファイル４６から制御部４４は例えば、キーボード５０の開始キーを操作した際に使用可能な音響効果のうちのいずれが使用されるべきか、ないしはどの音響効果データが使用されるべきかを識別することができる。
【００４７】
コンフィギュレーションデータファイル４６は例えばこのコンフィギュレーションデータファイル４６において指定された使用すべき音響効果データファイルの動作期間も包含することができる。この動作期間は例えば第１の通信端末機器１０のメモリ領域に包含させることもでき、またメニュー４８を用いてコンフィギュレーションデータファイル４６に格納することができる。
【００４８】
図２は、２つの異なる付加装置３１０，３２０を備えた移動電話３００として実施されている通信端末機器を示す。図２Ａには付加装置３１０を備えた移動電話３００が示されており、この付加装置は５つの異なるミクサ素子ないしミクサ装置３１１〜３１５を包含する。ミクサ素子３１２〜３１５は受動的な位置にあり、矢印３１８の方向において移動電話３００のマイクロフォン（図示せず、マイクロフォンはミクサ装置３１１の裏に存在する）の前に移動することができる。第１のミクサ装置３１１は既にマイクロフォンの前にあり、ユーザが移動電話３００のマイクロフォン３０２に向かって発した音声情報をミクサ素子３１１の特性に応じて変更する。ミクサ素子３１１はユーザと対向する表側においてマイクロフォン３０２を有し、また移動電話と対向する裏側においてスピーカを有することができる。ミクサ素子３１１〜３１５は内部において入力される音響的な情報を変更するための相応の素子を有する。
【００４９】
図２Ｂには付加装置３２０を備えた移動電話３００が示されており、ミクサ装置３２１〜３２４はそれぞれ車輪状の形態で配置されている。ミクサ装置３２１〜３２４のそれぞれの車輪は矢印３２８の方向に回転可能であり、その結果種々のミクサ素子３２１〜３２４を移動電話３００のマイクロフォンの前に移動させることができる。図２Ｂの左側においては第１のミクサ素子３２２が移動電話３００のマイクロフォンの前にあり、右側においては車輪が相応に回転されて第２のミクサ装置３２１が移動電話３００のマイクロフォンの前にある。このようにして、それぞれの車輪を回転することによってユーザは種々のミクサ装置３２１〜３２４を用いて種々の音響効果を調整することができる。この場合、複数のミクサ装置ないしミクサ素子を相応の車輪の回転によって同時に移動電話３００のマイクロフォンの前に移動させることができる。
【００５０】
しかしながら全てのミクサ装置（３２１〜３２４）を単一の車輪上に配置することも考えられ、その結果この車輪の回転によってそれぞれのミクサ装置を単独で移動電話３００のマイクロフォンの前に配置することができる。
【００５１】
本発明は、音響的なユーザ情報を記録する記録装置と、音響効果データを記憶する記憶装置と、記録装置を用いて記録された音響的なユーザ情報を記憶装置に記憶されている音響効果データの使用により変更するミクサ装置とを備えた、例えば移動電話のような遠隔通信端末機器を表す。遠隔通信端末機器が交換可能な素子、例えば交換可能なハウジングシェルを有する場合には、記憶装置および／またはミクサ装置を交換可能な素子の内の少なくとも１つに設けることができる。実施形態によれば、音響効果データには（所定の）動作期間が属し、この動作期間が経過すると遠隔通信端末機器内に包含されている制御装置によってミクサ動作状態は自動的に再び終了される。そのような遠隔通信端末機器でもって、音響的なユーザ情報に種々の音響効果データを用いて持続時間が短いまたは長い種々の音響効果を与えることができることによって、伝送すべき音響的なユーザ情報のフレキシブル且つ状況に合った変更を達成することができる。別の実施形態によれば、音響効果データは歪み識別データを包含することができ、この場合ミクサ装置は最終的にミクサ動作状態時に音響的なユーザ情報が歪み識別データの使用により歪まされるように設計されている。
【図面の簡単な説明】
【００５２】
【図１】第１の通信端末機器および第２の通信端末機器からなる通信装置の概略図であり、ここでは殊に音響効果を付加ないし取り入れるために構成されている第１の通信端末機器の機能素子が示されている。
【図２】は伝送すべき音声情報において音響効果を達成するための通信端末機器ないし遠隔通信端末機器の付加装置の例を示す。
【図１】
2005536957.tif 000003
2005536957.tif 000004
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
遠隔通信端末機器（１０）であって、
−音響的なユーザ情報、例えば音声情報を記録する記録装置（２０）と、
−トーンデータを包含する音響効果データが記憶されている記憶装置（４２）と、
−前記記録装置（２０）および前記記憶装置（４２）と接続されており、前記記録装置（２０）を用いて記録された音響的なユーザ情報を前記記憶装置（４２）に記憶されているトーンデータを用いてミクサ動作状態時に格納するミクサ装置（４０）とを包含する遠隔通信端末機器（１０）において、
前記ミクサ装置（４０）と接続されている制御装置（４４）が設けられており、該制御装置（４４）は前記ミクサ動作状態が開始されると、該ミクサ動作状態を所定の動作期間の経過後に再び終了させ、
前記所定の動作期間は実質的に、前記トーンデータの再生時間または前記トーンデータの再生時間の倍数に相応することを特徴とする、遠隔通信端末機器。
【請求項２】
前記所定の動作期間は前記記憶装置（４２）に記憶されている、請求項１記載の遠隔通信端末機器。
【請求項３】
前記音響効果データはトーン識別データを包含し、前記遠隔通信端末機器（１０）は、前記記憶装置（４２）および前記ミクサ装置（４０）と接続されており、前記トーン識別データからトーンデータを形成するトーン発生器を包含し、前記ミクサ装置（４０）は前記ミクサ動作状態時に前記音響的なユーザ情報を、前記トーン識別データから形成された前記トーンデータと共に格納する、請求項１または２記載の遠隔通信端末機器。
【請求項４】
前記記憶装置（４２）には反復係数が記憶されており、前記所定の動作期間は実質的に該反復係数と前記音響効果データの再生時間との積に相応する、請求項１から３までのいずれか１項記載の遠隔通信端末機器。
【請求項５】
前記音響効果データは歪み識別データを包含し、前記ミクサ装置（４０）は前記ミクサ動作状態時に前記音響的なユーザ情報を該歪み識別データを使用して歪ませる、請求項１から４までのいずれか１項記載の遠隔通信端末機器。
【請求項６】
遠隔通信端末機器（１０）において、
−音響的なユーザ情報、例えば音声情報を記録する記録装置（２０）と、
−歪み識別データを包含する音響効果データを記憶する記憶装置（４２）と、
−前記記録装置（２０）および前記記憶装置（４２）と接続されており、前記記録装置（２０）を用いて記録された音響的なユーザ情報を前記記憶装置（４２）に記憶されている音響効果データを使用してミクサ動作状態時に変更するミクサ装置（４０）とを包含し、前記ミクサ装置は前記ミクサ動作状態時に前記音響的なユーザ情報を前記歪み識別データを使用して歪ませることを特徴とすることを特徴とする、遠隔通信端末機器。
【請求項７】
前記遠隔通信端末機器（１０）はユーザによる前記ミクサ動作状態の開始のための開始操作素子および／またはユーザによる前記ミクサ動作状態の終了のための終了操作素子を包含する、請求項１から６までのいずれか１項記載の遠隔通信端末機器。
【請求項８】
前記音響効果データは前記記憶装置（４２）における音響効果データファイルに記憶されている、請求項１から７までのいずれか１項記載の遠隔通信端末機器。
【請求項９】
前記音響効果データファイルはさらに前記所定の動作期間および／または前記反復係数および／または前記音響効果データの再生時間を包含する、請求項８記載の遠隔通信端末機器。
【請求項１０】
前記記憶装置（４２）には少なくとも２つの音響効果データファイルが記憶されている、請求項８または９記載の遠隔通信端末機器。
【請求項１１】
前記遠隔通信端末機器（１０）は、少なくとも２つの音響効果データファイルの内の少なくとも１つを選択するための少なくとも１つの選択操作素子を包含する、請求項１０記載の遠隔通信端末機器。
【請求項１２】
前記遠隔通信端末機器（１０）は、例えば前記開始操作素子に割り当てられている音響効果データファイルのデータを使用して、前記ミクサ動作状態を開始するための少なくとも１つの開始操作素子を包含する、請求項８から１１までのいずれか１項記載の遠隔通信端末機器。
【請求項１３】
前記遠隔通信端末機器（１０）は少なくとも１つの交換可能なハウジング部を包含する、請求項１から１２までのいずれか１項記載の遠隔通信端末機器。
【請求項１４】
前記少なくとも１つの交換可能なハウジング部は前記記憶装置（４２）の少なくとも一部を包含し、該記憶装置（４２）の少なくとも一部には前記音響効果データの少なくとも一部、例えば音響効果データファイルの少なくとも一部が記憶されている、請求項１３記載の遠隔通信端末機器。
【請求項１５】
前記少なくとも１つの交換可能なハウジング部は前記音響効果データの少なくとも一部、例えば音響効果データファイルの少なくとも一部を選択するためのハウジング選択素子を包含する、請求項１３または１４記載の遠隔通信端末機器。
【請求項１６】
遠隔通信端末機器（１０）であって、
−交換可能なハウジング部を備えたハウジングと、
−音響的なユーザ情報、例えば音声情報を記録する記録装置（２０）と、
−前記記録装置（２０）と接続されており、前記記録装置を用いて記録された音響的なユーザ情報をミクサ動作状態時に変更するミクサ装置（４０）とを包含する、遠隔通信端末機器において
前記交換可能なハウジング部は前記ミクサ装置（４０）を包含することを特徴とする、遠隔通信端末機器。
【請求項１７】
前記ミクサ装置（４０）は前記ミクサ動作状態時に前記音響的なユーザ情報をトーンデータと共に格納するおよび／または前記音響的なユーザ情報を歪ませる、請求項１６記載の遠隔通信端末機器。
【請求項１８】
前記遠隔通信端末機器（１０）はユーザによる前記ミクサ動作状態の開始のための開始操作素子および／またはユーザによる前記ミクサ動作状態の終了のための終了操作素子を包含する、請求項１６または１７記載の遠隔通信端末機器。
【請求項１９】
請求項１３から１８までのいずれか１項記載の遠隔通信端末機器のための交換可能なケーシング部。
【請求項２０】
音響的なユーザ情報、例えば音声情報を記録する音響的な記録装置を備えた遠隔通信端末機器（３００）のための付加装置（３１０，３２０）において、
音響的なユーザ情報、例えば音声情報を変更するミクサ装置（３１１〜３１５，３２１〜３２４）を包含し、該ミクサ装置（３１１〜３１５，３２１〜３２４）は変更された音響的なユーザ情報を出力するミクサ出力領域を有し、
さらに前記ミクサ装置（３１１〜３１５，３２１〜３２４）のミクサ動作状態時に前記遠隔通信端末機器（３００）の前記音響的な記録装置によって、前記ミクサ出力領域から出力される変更された音響的なユーザ情報を記録するないし記録可能であるよう前記遠隔通信端末機器（３００）に取り付け可能であることを特徴とする、付加装置。
【請求項２１】
前記ミクサ装置（３１１〜３１５，３２１〜３２４）は入力された音響的なユーザ情報をトーンデータと共に格納するおよび／または入力された音響的なユーザ情報を歪ませる、請求項２０記載の付加装置。
【国際調査報告】
2005536957.tif 000005
2005536957.tif 000006
2005536957.tif 000007
2005536957.tif 000008
2005536957.tif 000009
2005536957.tif 000010
2005536957.tif 000011
2005536957.tif 000012
2005536957.tif 000013